(57)【要約】【課題】複数のコンピュータ端末をネットワーク制御し、医師等がコンピュータ端末の操作に要する作業を省力化し、本来の歯科診療業務を効率よく行うことができるようにすること。【解決手段】受付カウンタに設置された受付用コンピュータ端末と、患者を診療するための複数の歯科用のチェアユニットと、チェアユニットごとに設置されたチェア用コンピュータ端末とを備え、受付用コンピュータ端末の表示画面には、チェア番号ごとに設定されたチェア用コンピュータ端末の起動ボタン及び停止ボタン４８と、チェア番号ごとに設定されたチェア用コンピュータ端末の起動状態及び停止状態４７とが表示され、起動ボタン及び停止ボタン４８を押すことで、チェア番号に対応するチェア用コンピュータ端末が起動及び停止して、チェア用コンピュータ端末の起動状態及び停止状態が受付用コンピュータ端末の表示画面に表示される。【選択図】図２
2010165093.tif 000002
【特許請求の範囲】
【請求項１】
歯科診療のために使用される複数のコンピュータ端末をネットワーク制御する歯科診療ネットワークシステムであって、
受付カウンタに設置された受付用コンピュータ端末と、患者を診療するための複数の歯科用のチェアユニットと、前記チェアユニットごとに設置されたチェア用コンピュータ端末とを備え、
前記受付用コンピュータ端末の表示画面には、受付用患者選択画面が表示され、
前記受付用患者選択画面には、前記チェアユニットごとに設定されたチェア番号からなるチェア番号表示部と、前記チェア番号ごとに設定された前記チェア用コンピュータ端末の起動ボタン及び停止ボタンと、前記チェア番号ごとに設定された前記チェア用コンピュータ端末の起動状態及び停止状態とが表示され、
前記起動ボタン及び停止ボタンを押すことで、前記チェア番号に対応する前記チェア用コンピュータ端末が起動及び停止して、前記チェア用コンピュータ端末の起動状態及び停止状態が前記受付用コンピュータ端末の表示画面に表示されることを特徴とする歯科診療ネットワークシステム。
【請求項２】
予め登録された患者ごとの診療データを記憶する記憶装置を備え、
前記受付用患者選択画面には、予め登録された患者の氏名からなる患者リスト表示部と、前記チェア番号ごとに設定されたチェア番号選択ボタンと、前記チェア番号ごとに選択患者の氏名が表示される選択患者表示部と、前記チェア番号ごとに設定された選択解除ボタンとが表示され、
前記患者リスト表示部から診療を受ける患者の氏名を選択して、前記チェア番号選択ボタンを選択して押すことで、前記チェア番号に対応する前記選択患者表示部に、前記選択患者の氏名が表示されると共に、前記選択患者の前記診療データが前記チェア番号に対応する前記チェア用コンピュータ端末へ送られ、
前記選択解除ボタンを押すことで、前記チェア番号に対応する前記選択患者表示部から前記選択患者の氏名が消去されると共に、前記選択患者の前記診療データが前記チェア番号に対応する前記チェア用コンピュータ端末から消去されて前記記憶装置へ送られることを特徴とする請求項１に記載の歯科診療ネットワークシステム。
【請求項３】
患者を撮影するためのＸ線撮影装置と、前記Ｘ線撮影装置を制御する撮影用コンピュータ端末とを備え、
前記受付用患者選択画面には、前記チェア番号ごとに設定された撮影オーダー起動ボタンが表示され、
前記撮影オーダー起動ボタンを押すことで、前記Ｘ線撮影装置で撮影する際の撮影条件を設定する撮影条件設定画面が表示され、前記撮影条件設定画面で設定した撮影条件が前記撮影用コンピュータへ送られ、前記チェア番号に対応する前記選択患者の撮影オーダーとして処理されることを特徴とする請求項２に記載の歯科診療ネットワークシステム。
【請求項４】
予め登録された患者には年齢及び性別に関するデータが登録されており、
前記撮影条件設定画面は、前記撮影オーダー起動ボタンが押された前記チェア番号における患者の年齢及び性別の双方又は一方に基づいて、前記撮影条件が予め初期設定されることを特徴とする請求項３に記載の歯科診療ネットワークシステム。
【発明の詳細な説明】
【技術分野】
【０００１】
本発明は、歯科診療のために使用される複数のコンピュータ端末をネットワーク制御する歯科診療ネットワークシステムに関する。
【背景技術】
【０００２】
歯科診療を行う医院では、歯科医師が複数の患者を診療するための複数のチェアユニットが設置されている（例えば、特許文献１参照）。近年患者に診療状況・診療方法等を説明し了解を得るためのインフォームド・コンセントが重要視されており、各チェアユニットごとに、チェア用コンピュータ端末が設置され、その表示画面に患者のＸ線画像やカルテ等を表示して、患者に診療状況・診療方法等を説明するために使用される。そのため、一般的に患者を診療する際には、チェア用コンピュータ端末を起動及び停止する必要がある。
【０００３】
しかし、医師やスタッフがチェアユニットに行った際にチェア用コンピュータ端末を起動していては、完全に起動するまで患者を待たすことになる。また、最近では、コンピュータ端末の本体部は患者に威圧感を与えないように、カバーボックス等で覆って見え難く隠しておき、患者の説明の際に使用する画像表示用のモニター（表示画面）と操作用のタッチペンだけを見えやすい場所に設置しているので、端末本体部に設けられた起動・停止ボタンを押すには非常に手間が掛かる。そのため、歯科医師が行う本来の歯科診療業務の効率が下がるという問題があった。
【先行技術文献】
【特許文献】
【０００４】
【特許文献１】特開２００７−２４４４９４号公報
【発明の概要】
【発明が解決しようとする課題】
【０００５】
そこで、本発明が解決しようとする課題は、複数のコンピュータ端末をネットワーク制御し、医師等がコンピュータ端末の操作に要する作業を省力化し、本来の歯科診療業務を効率よく行うことができる歯科診療ネットワークシステムを提供することである。
【課題を解決するための手段】
【０００６】
上記課題を解決するために、本発明に係る歯科診療ネットワークシステムは、
歯科診療のために使用される複数のコンピュータ端末をネットワーク制御する歯科診療ネットワークシステムであって、
受付カウンタに設置された受付用コンピュータ端末と、患者を診療するための複数の歯科用のチェアユニットと、チェアユニットごとに設置されたチェア用コンピュータ端末とを備え、
受付用コンピュータ端末の表示画面には、受付用患者選択画面が表示され、
前記受付用患者選択画面には、チェアユニットごとに設定されたチェア番号からなるチェア番号表示部と、チェア番号ごとに設定されたチェア用コンピュータ端末の起動ボタン及び停止ボタンと、チェア番号ごとに設定されたチェア用コンピュータ端末の起動状態及び停止状態とが表示され、
起動ボタン及び停止ボタンを押すことで、チェア番号に対応するチェア用コンピュータ端末が起動及び停止して、チェア用コンピュータ端末の起動状態及び停止状態が受付用コンピュータ端末の表示画面に表示される。
【０００７】
好ましくは、
予め登録された患者ごとの診療データを記憶する記憶装置を備え、
受付用患者選択画面には、予め登録された患者の氏名からなる患者リスト表示部と、チェア番号ごとに設定されたチェア番号選択ボタンと、チェア番号ごとに選択患者の氏名が表示される選択患者表示部と、チェア番号ごとに設定された選択解除ボタンとが表示され、
患者リスト表示部から診療を受ける患者の氏名を選択して、チェア番号選択ボタンを選択して押すことで、チェア番号に対応する選択患者表示部に、選択患者の氏名が表示されると共に、選択患者の診療データがチェア番号に対応するチェア用コンピュータ端末へ送られ、
選択解除ボタンを押すことで、チェア番号に対応する選択患者表示部から選択患者の氏名が消去されると共に、選択患者の診療データがチェア番号に対応するチェア用コンピュータ端末から消去されて記憶装置へ送られる。
【０００８】
好ましくは、
患者を撮影するためのＸ線撮影装置と、Ｘ線撮影装置を制御する撮影用コンピュータ端末とを備え、
受付用患者選択画面には、チェア番号ごとに設定された撮影オーダー起動ボタンが表示され、
撮影オーダー起動ボタンを押すことで、Ｘ線撮影装置で撮影する際の撮影条件を設定する撮影条件設定画面が表示され、撮影条件設定画面で設定した撮影条件が撮影用コンピュータへ送られ、チェア番号に対応する選択患者の撮影オーダーとして処理される。
【０００９】
好ましくは、
予め登録された患者には年齢及び性別に関するデータが登録されており、
撮影条件設定画面は、撮影オーダー起動ボタンが押されたチェア番号における患者の年齢又は性別の双方又は一方に基づいて、撮影条件が予め初期設定される。
【発明の効果】
【００１０】
本発明に係る歯科診療ネットワークシステムは、受付カウンタ等に設置された受付用コンピュータ端末の表示画面に、チェアユニットのチェア番号に対応するチェア用コンピュータ端末の起動ボタン及び停止ボタンが表示され、この起動ボタン及び停止ボタンを押すことで、チェア番号に対応するチェア用コンピュータ端末が起動及び停止するようになっている。
【００１１】
これにより、医師やスタッフがチェアユニットに行ってチェア用コンピュータ端末を起動等する必要がない。即ち、来訪患者の診療スケジュールを管理する受付係等が、診療スケジュールや来訪時間に沿って適切なチェア用コンピュータ端末を起動及び停止できるので、医師はチェアユニットに行った際に直ちに患者の診療を行うことができ、本来の歯科診療業務を効率よく行うことができる。
【図面の簡単な説明】
【００１２】
【図１】歯科診療ネットワークシステムを示す全体図である。
【図２】受付用患者選択画面を示す図である。
【図３】受付用撮影条件設定画面を示す図である。
【図４】撮影オーダー一覧画面を示す図である。
【図５】医師用撮影条件設定画面を示す図である。
【図６】画像保存画面を示す図である。
【図７】受付係が撮影条件を設定する際のフローチャート図を示す。
【図８】医師が撮影条件を設定する際のフローチャート図を示す。
【発明を実施するための形態】
【００１３】
以下、添付図面に基づいて、本発明に係る歯科診療ネットワークシステムの実施形態について説明する。
【００１４】
図１は、歯科診療ネットワークシステムを示す全体図である。図２は、受付用患者選択画面を示す図である。図３は、受付用撮影条件設定画面を示す図である。図４は、撮影オーダー一覧画面を示す図である。図５は、医師用撮影条件設定画面を示す図である。図６は、画像保存画面を示す図である。
【００１５】
図１の通り、歯科診療ネットワークシステムは、来訪患者を受付ける受付スペース１２に、受付用コンピュータ端末１（以下、「受付用ＰＣ」という）が設置されている。受付用ＰＣ１は、主に受付担当者や歯科衛生士等が操作して、来訪した患者の管理・整理等を行う。
【００１６】
さらに、歯科診療ネットワークシステムは、診療室２１に、複数のチェアユニット２２を備える。チェアユニット２２は、歯科診療のための診療椅子、照明装置、うがいスタンド、診療器具等を載置するためのテーブル等を備える。そして、各チェアユニット２２ごとに、チェア用コンピュータ端末２（以下、「チェア用ＰＣ」という）が設置されている。チェア用ＰＣ２は、患者の電子カルテやＸ線画像等を表示画面（モニター）２０に表示して、歯科医師が操作して診療状況・診療方法等を患者に説明する。それぞれのチェアユニット２２には、受付係や歯科医師等が識別・管理できるように、例えば１番チェア、２番チェア、３番チェア、・・・のようにチェア番号２３が設定されている。
【００１７】
また、歯科診療ネットワークシステムは、レントゲン室３６に、Ｘ線撮影装置３５及び撮影用コンピュータ端末３（以下、「撮影用ＰＣ」という）が設置されている。撮影用ＰＣ３は、撮影条件を設定したり、Ｘ線撮影装置３５で撮影したＸ線画像を患者ごとに管理・整理する。さらに、歯科診療ネットワークシステムは、記憶装置１１を備えており、記憶装置１１には、患者ごとの電子カルテやＸ線画像等が記憶される。なお、記憶装置１１は、受付用ＰＣ１等に搭載してもよい。
【００１８】
歯科診療ネットワークシステムにおいて、受付用ＰＣ１、チェア用ＰＣ２、撮影用ＰＣ３及び記憶装置１１は、ＬＡＮ(Local Area Network)に接続されている。そして、このＬＡＮを介して、各ＰＣ１〜３及び記憶装置１１は、それぞれの所定の信号及びデータ等を送受信できるようになっている。
【００１９】
図２の通り、受付用ＰＣ１の表示画面１０には、受付用患者選択画面４が表示される。受付用患者選択画面４には、患者リスト表示部４０が表示される。患者リスト表示部４０には、来訪予定の患者や過去に来訪した患者等が入力・記憶（データベース化）されておりリストアップされる。また、患者リスト表示部４０には、それぞれの患者ごとに患者ＩＤ、氏名、読みカナ、性別、生年月日（年齢）等のデータが入力・記憶されて表示される。
【００２０】
受付用患者選択画面４には、チェア番号選択ボタン４１が表示される。チェア番号選択ボタン４１は、チェアユニット２２ごとに設定されたチェア番号２３の数に対応して表示され、本実施形態では、診療室２１に設置された５つのチェアユニット２２に対応して、５つのチェア番号選択ボタン４１が表示されている。
【００２１】
受付用患者選択画面４には、チェアユニット２２のチェア番号２３に対応して配置されたチェア番号表示部４２が表示される。そして、それぞれのチェア番号表示部４２に対応して、本実施形態では横並びに、選択患者表示部４３、選択解除ボタン４４、オーダー表示部４５、撮影オーダー起動ボタン４６、ＰＣ状態表示部４７、ＰＣ起動・停止ボタン４８が表示される。
【００２２】
受付用患者選択画面４は、受付係が各種ボタン４１等をタッチペン等で画面をタッチしたり、マウスを使ってマウスポインタでクリックして操作する。次に、受付用患者選択画面４の操作方法について説明する。
【００２３】
チェア番号表示部４２に対応するＰＣ起動・停止ボタン４８を押すことで、受付用ＰＣ１からそれぞれのチェア用ＰＣ２へ指示信号を送り、それぞれ対応するチェア用ＰＣ２を起動及び停止することができる。そして、チェア番号表示部４２に対応する各チェア用ＰＣ２の起動状態及び停止状態が、ＰＣ状態表示部４７に表示される。
【００２４】
例えば、チェア番号表示部４２が「４」に対応するＰＣ起動・停止ボタン４８の「ＯＮ」ボタンを押すと、チェア番号「４」に対応するチェア用ＰＣ２が起動して、ＰＣ状態表示部４７に「起動中」と表示される。そして、それのＰＣ起動・停止ボタン４８の「ＯＦＦ」ボタンを押すと、それに対応するチェア用ＰＣ２が停止して、ＰＣ状態表示部４７に「未起動」と表示される。なお、上記実施形態では、ＰＣ起動・停止ボタン４８は、「ＯＮ」及び「ＯＦＦ」のボタンを有しているが、これらを有しておらずに、ボタン４８を押すごとに起動と停止を切り換えるようにしてもよい。
【００２５】
これにより、受付係は、移動することなくそれぞれのチェア用ＰＣ２を起動・停止することができ、その状態を画面で確認することができる。そして、患者が来訪した際に、患者リスト表示部４０から来訪患者を選択し、所定のチェア番号選択ボタン４１を押す。すると、そのチェア番号に対応するチェア番号表示部４２の選択患者表示部４３に、選択患者の氏名が表示される。さらに、そのチェア番号に対応するチェア用ＰＣ２には、記憶装置１１から選択患者の診療データ（電子カルテ・Ｘ線画像等）が送信されて、チェア用ＰＣ２の表示画面２０に診療データが表示される。
【００２６】
例えば、チェア番号「４」が空いて、次に診療する患者が「朝日太郎」の場合、患者リスト表示部４０に表示された「朝日太郎」を押して選択し（選択したときに、どの患者を選択したか受付係が判別できるように、白色等から赤色等の目立つ色に反転するようになっている）、チェア番号選択ボタン４１の「４」を押すことで、チェア番号表示部４２の「４」に対応する選択患者表示部４３に「朝日太郎」の氏名が表示される。そして、チェア番号「４」のチェア用ＰＣ２に、「朝日太郎」の診療データが記憶装置１１から送信されて、チェア用ＰＣ２の表示画面２０に「朝日太郎」の診療データが表示される。
【００２７】
そして、それぞれのチェア番号表示部４２に対応する選択解除ボタン４４を押すことで、選択患者表示部４３に表示された氏名が消去されると共に、チェア用ＰＣ２から診療データが記憶装置１１へ送られ、表示画面２０の診療データが消去され、記憶装置１１に新たな診療データとして記憶（更新）される。
【００２８】
例えば、チェア番号「４」の選択患者表示部４３に「朝日太郎」の氏名が表示されているときに、それに対応する選択解除ボタン４４を押すと、選択患者表示部４３の「朝日太郎」の氏名が消去され、チェア用ＰＣ２で書き換えられた診療データが記憶装置１１へ送られて再記憶（更新）され、チェア用ＰＣの表示画面２０からその診療データが消去される。チェア用ＰＣの表示画面２０から診療データが消去されることにより、他の関係のない患者等に診療データを見られることがなく、個人情報が保護される。
【００２９】
また、それぞれのチェア番号表示部４２に対応する撮影オーダー起動ボタン４６を押すことで、図３に示す受付用撮影条件設定画面５が表示されて、受付係が撮影条件を設定できるようになっている。そして、オーダー表示部４５には、撮影オーダーの有無が表示される。
【００３０】
例えば、チェア番号「４」の選択患者表示部４３に「朝日太郎」の氏名が表示されているときに、それに対応する撮影オーダー起動ボタン４６を押すことで、受付用撮影条件設定画面５（図３）が表示されて、受付係がその患者に適した撮影条件を設定する。これにより、オーダー表示部４５に、「オーダー有り」と表示され、氏名や設定した撮影条件等が撮影用ＰＣ３に送られて、選択患者「朝日太郎」の撮影オーダーとして記録される。なお、撮影オーダー起動ボタン４６を押す前は、オーダー表示部４５には「オーダー無し」と表示されている。
【００３１】
図３の通り、受付用撮影条件設定画面５には、選択患者表示部５０が表示される。前記した通り、受付用撮影条件設定画面５は、受付用患者選択画面４の撮影オーダー起動ボタン４６を押すと表示される。選択患者表示部５０には、撮影条件を設定する選択患者の氏名、性別、年齢等が表示される。例えば、チェア番号「４」の選択患者表示部４３に「朝日太郎」の氏名が表示されているときに、それに対応する撮影オーダー起動ボタン４６を押すと、選択患者表示部５０に「朝日太郎」、Ｍ（男）、３０歳５ヶ月等が表示される。
【００３２】
受付用撮影条件設定画面５には、管電圧設定部５１、管電流設定部５２、パノラマ撮影ボタン５３、顎関節撮影ボタン５４、上顎洞撮影ボタン５７、セファロ撮影ボタン５８、患者サイズ選択ボタン５５が表示されている。管電圧設定部５１及び管電流設定部５２で、設定ダイヤル部を操作等することで管電圧及び管電流を設定できる。また、パノラマ撮影ボタン５３、顎関節撮影ボタン５４、上顎洞撮影ボタン５７、セファロ撮影ボタン５８のいずれかを押すことで、撮影種別を設定できる。また、患者サイズ選択ボタン５５を押して、大人・子供等の被写体のサイズを設定できる。
【００３３】
前記したように撮影条件を設定した後、受付用撮影条件設定画面５に表示されたオーダー実行ボタン５６を押すことで、設定された撮影条件と共に撮影オーダーが撮影用ＰＣ３に送られる。これにより、受付用患者選択画面４のオーダー表示部４５には、「撮影オーダー有り」と表示される。
【００３４】
上記実施形態では、受付係が、選択患者の年齢や性別等に基づいて、撮影条件（管電圧、管電流等）を設定したが、別の実施形態では、受付用ＰＣ１が、選択患者の年齢及び性別の双方又は一方のデータの初期設定表（マップ）に基づいて、撮影種別ごとに撮影条件がプリセット（初期設定）されている（下記表１〜５）。そして、受付係は、プリセットされた撮影条件から、再度撮影条件を設定し直して、撮影オーダーを実行することができる。これにより、受付係が、撮影条件の設定による入力ミスや入力手間を大幅に減少することができる。
【００３５】
上記の初期設定表（マップ）を表１〜５に示す。表１は、パノラマ撮影の場合における、設定表を示し、性別及び年齢に基づいて、撮影条件（管電圧、管電流等）がプリセットされる。表２は顎関節正面・側面撮影の場合、表３は上顎洞撮影の場合、表４はセファロ側面・正面撮影の場合、表５はセファロ手根骨撮影の場合における、設定表を示す。
【００３６】
【表１】
2010165093.tif 000003
【００３７】
【表２】
2010165093.tif 000004
【００３８】
【表３】
2010165093.tif 000005
【００３９】
【表４】
2010165093.tif 000006
【００４０】
【表５】
2010165093.tif 000007
【００４１】
図４の通り、撮影用ＰＣ３の表示画面３０には、撮影オーダー一覧画面６が表示される。撮影オーダー一覧画面６は、選択患者表示部６０、撮影種別表示部６１、指示ＰＣ表示部６２、連続撮影ボタン６３が表示される。受付用患者選択画面４の撮影オーダー起動ボタン４６を押すことで、その選択した患者の撮影オーダーとして一覧表示され、その際に、選択患者の氏名が選択患者表示部６０に表示され、受付用撮影条件設定画面５で設定したパノラマ撮影等の撮影種別が撮影種別表示部６１に表示され、それに対応するチェア番号が指示ＰＣ表示部６２に表示される。
【００４２】
そして、歯科医師がＸ線撮影を行う際に、選択患者表示部６０からＸ線撮影を行う患者を選択して押すと、医師用撮影条件設定画面５’（図５）が表示されて、歯科医師が管電圧等の撮影条件を再確認・再設定できるようになっている。なお、この医師用撮影条件設定画面５’は、上記した受付用撮影条件設定画面５（図３）と略同一となっており、管電圧設定部５１’、管電流設定部５２’等が表示されている。
【００４３】
上記の他に、医師用撮影条件設定画面５’は、レディボタン（撮影実行ボタン）５００を備える。そして、上記の通り、医師が撮影条件を再確認・再設定した後、レディボタン５００を押して、Ｘ線撮影装置３５でＸ線撮影を行う。
【００４４】
Ｘ線撮影ごとに、撮影用ＰＣ３の表示画面３０に、画像保存画面７（図６）が表示される。画像保存画面７は、撮影画像表示部７０、再撮影ボタン７１、保存ボタン７２、画像編集部７３が表示される。撮影したＸ線画像が、撮影画像表示部７０に表示され、医師が、画像編集部７３を操作して、画像を拡大・縮小する等して適切な画像か否かを確認する。適切でない場合は、再撮影ボタン７１を押して、再撮影を行う。適切な場合は、保存ボタン７２を押す。
【００４５】
これにより、撮影したＸ線画像が、選択患者の診療データとして記憶装置１１に記憶され、チェア用ＰＣ２に送られる。また、選択患者表示部６０で患者を選択した後に、連続撮影ボタン６３を押すことで、同一患者が撮影オーダーされている場合に、撮影終了後、いちいち撮影オーダー一覧画面６が表示されることなく、医師用撮影条件設定画面５’が表示されるようになっている（これについては、次に詳細説明する）。
【００４６】
次に、受付係及び医師が、撮影条件を設定する際の操作について説明する。図７及び図８は、撮影条件を設定する際のフローチャート図を示す。
【００４７】
図７の通り、受付係は、受付用患者選択画面４から撮影オーダーする患者を選択する（ステップＳ１０）。そして、その選択患者に対応する撮影オーダー起動ボタン４６を押す（ステップＳ１１）。これにより、受付用撮影条件設定画面５が表示される（ステップＳ１２）。
【００４８】
受付用撮影条件設定画面５には、選択患者の性別、年齢、撮影種別に基づいて、撮影条件（管電圧、管電流等）がプリセット（初期設定）されている（ステップＳ１３）。そして、受付係は、プリセットされた撮影条件を確認・再設定する（ステップＳ１４）。確認後、オーダー実行ボタン５６を押す（ステップＳ１５）。これにより、選択患者ごとの撮影オーダーが、撮影オーダー一覧画面６に表示される（ステップＳ１６）。
【００４９】
図８の通り、Ｘ線撮影の際、医師は、撮影オーダー一覧画面６を確認して（ステップＳ２０）、患者を選択する（ステップＳ２１）。これにより、選択患者の医師用撮影条件設定画面５’が表示される（ステップＳ２２）。このとき、医師用撮影条件設定画面５’には、受付係が設定した撮影条件が設定されている（ステップＳ２３）。そして、医師が撮影条件を確認して再設定する（ステップＳ２４）。
【００５０】
その後、レディボタン５００を押して（ステップＳ２５）、Ｘ線撮影を行う（ステップＳ２６）。そして、画像保存画面７が表示されて確認し（ステップＳ２７）、保存ボタン６２を押す（ステップＳ２８）。これにより、撮影したＸ線画像が、選択患者の診療データとして保存される（ステップＳ２９）。
【００５１】
そして、上記ステップ２０の際に、連続撮影ボタン６３が押されていない場合（ステップＳ３０）、撮影オーダー一覧画面６に戻る（ステップＳ２０）。ここで、上記ステップ２０の際に、連続撮影ボタン６３が押されて患者が選択されている場合（ステップＳ３０）、撮影オーダーに選択患者と同一患者の撮影オーダーがあるか否か判断される（ステップＳ３１）。
【００５２】
図４の通り、同一患者で撮影種別が異なる撮影オーダーがある場合（「朝日太郎」でパノラマ撮影と顎関節撮影のオーダーがある場合）、いちいち撮影オーダー一覧画面６に戻ることなく、医師用撮影条件設定画面５’に戻って確認・再設定できる。これにより、同一患者を何度も選択する必要がなく、撮影をより迅速に行うと共に、撮影ミスを減少することができる。
【符号の説明】
【００５３】
１  受付用コンピュータ端末
１０  受付用コンピュータ端末の表示画面
１１  記憶装置
２  チェア用コンピュータ端末
２０  チェア用コンピュータ端末の表示画面
２２  チェアユニット
２３  チェア番号
３  撮影用コンピュータ端末
３０  撮影用コンピュータ端末の表示画面
３５  Ｘ線撮影装置
４  受付用患者選択画面
４０  患者リスト表示部
４１  チェア番号選択ボタン
４２  チェア番号表示部
４５  オーダー表示部
４６  撮影オーダー起動ボタン
４７  ＰＣ状態表示部
４８  ＰＣ起動・停止ボタン
５  受付用撮影条件設定画面
５１  管電圧設定部
５２  管電流設定部
５’  医師用撮影条件設定画面
６  撮影オーダー一覧画面
７  画像保存画面
【図１】
2010165093.tif 000008
【図２】
2010165093.tif 000009
【図３】
2010165093.tif 000010
【図４】
2010165093.tif 000011
【図５】
2010165093.tif 000012
【図６】
2010165093.tif 000013
【図７】
2010165093.tif 000014
【図８】
2010165093.tif 000015